(57)【特許請求の範囲】
【請求項１】
放送受信部と、
放送受信部で受信した信号を復号化する復号化部と、
自身にディスプレイ装置が接続された時にそのディスプレイ装置から表示能力情報を取得する表示能力情報取得部と、
取得した表示能力情報に応じて記録画質パラメータを決定するパラメータ決定部と、
決定したパラメータに応じて復号化部にて復号化した信号を符号化する符号化部と、
信号を記録する記録部と、
を有する記録再生装置。
【請求項２】
パラメータ決定部は、
画質が破綻しないように再生ビットレートと、解像度と、フレームレートと、を予め関連付けた記録画質を決定するために用いる画質パラメータテーブルを保持する画質パラメータテーブル保持手段を有する請求項１に記載の記録再生装置。
【請求項３】
パラメータ決定部は、
ディスプレイ装置から取得した表示能力情報を用いてディスプレイ装置の性能を超えない範囲で取得可能な最高画質を実現するパラメータを選択する最高画質パラメータ選択手段を有する請求項２に記載の記録再生装置。
【請求項４】
表示能力情報取得部は、表示能力を取得するためのユーザーインターフェイスである表示能力入力手段を有する請求項１から３のいずれか一に記載の記録再生装置。
【請求項５】
記録部は放送受信部にて受信した信号による画質が最高画質パラメータ選択手段にて選択され実現される画質以下である場合には受信した信号をそのまま記録する直接記録手段を有する請求項３に記載の記録再生装置。
【請求項６】
放送受信部に代えて記録メディア装置から映像信号を取得する映像信号取得部とした請求項１から５のいずれか一に記載の記録再生装置。
【請求項７】
放送受信部に代えて静止画情報取得部とした請求項１に記載の記録再生装置。
【請求項８】
ディスプレイ装置が接続される記録再生装置の動作方法であって、
放送を受信する放送受信ステップと、
放送受信ステップにて受信した信号を復号化する復号化ステップと、
自身にディスプレイ装置が接続された時にそのディスプレイ装置から表示能力情報を取得する表示能力情報取得ステップと、
取得した表示能力情報に応じて記録画質パラメータを決定するパラメータ決定ステップと、
決定したパラメータに応じて復号化ステップにて復号化した信号を符号化する符号化ステップと、
符号化ステップにて符号化した信号を記録する記録ステップと、
を有する記録再生装置の動作方法。
【発明の詳細な説明】
【技術分野】
【０００１】
動画や静止画等の映像信号を記録する際に、自身に接続されたディスプレイ装置の表示能力に応じて映像信号の記録を行う記録再生装置に関する。
【背景技術】
【０００２】
従来、ハードディスクレコーダやＤＶＤレコーダ等の記録再生装置において放送などから取得した映像信号をハードディスク（以下、「ＨＤＤ」という）や、ブルーレイディスク、ＤＶＤ等のリムーバブルメディアに記録する際には、取得した映像信号の解像度などの画質パラメータを変更せずにそのまま記録するか、ユーザーが設定した所望の画質で記録するのが一般的であった。つまり、図１９に例示するように、記録再生装置（１９１０）において例えば解像度が「１９２０×１０８０」（デジタル放送のフルＨＤ画質）の映像信号（１９０１）を放送などにより受信したとすると、受信した映像信号は復調部（１９１１）にて復調された後、そのままの解像度でＨＤＤやリムーバブルメディア等（記録部：１９１２）に記録される（もしくは、ユーザーが受信信号の解像度より高い解像度を指定することでＭＰＥＧ（Ｍｏｖｉｎｇ  Ｐｉｃｔｕｒｅ  Ｅｘｐｅｒｔｓ  Ｇｒｏｕｐ）２デコーダ（１９１４）によってデコードされた後、高解像度でＭＰＥＧ２エンコーダ（１９１５）にてエンコードされて記録部（１９１２）に記録される）。そして、記録部（１９１２）に記録された映像信号は、ＭＰＥＧ２デコーダ（１９１３）によってデコードされた後、記録再生装置に接続されているディスプレイ装置（１９２０）に対して解像度「１９２０×１０８０」（１９０２）で出力される。しかし、ディスプレイ装置が解像度「８００×６００」の表示能力しかない場合には、出力された解像度「１９２０×１０８０」の映像信号（１９０２）をアップ／ダウンコンバータ（１９２１）で「８００×６００」の解像度に変換して表示部（１９２２）に表示出力する、という具合である。
【０００３】
ところで、記録再生装置とディスプレイ装置を接続するための規格として、近年、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）という規格が一般的に使用されている。ＨＤＭＩは、従来のＤＶＩ（Ｄｉｇｉｔａｌ  Ｖｉｓｕａｌ  Ｉｎｔｅｒｆａｃｅ）の映像出力機能に加えて音声出力機能や著作権の保護機能なども有する規格である。また、ＨＤＭＩは接続されている機器を認識する機能も有しているため、例えば記録再生装置とディスプレイ装置がＨＤＭＩによって接続されている場合には、記録再生装置はディスプレイ装置の解像度やアスペクト比などの性能情報を取得することができる。例えば、特許文献１においては、ＨＤＭＩ接続によって表示装置の解像度等の性能情報を取得し、表示装置の性能に合わせて画像情報を出力するＤＶＤ再生装置が開示されている。
【特許文献１】特開２００５−１０９７０３号公報
【発明の開示】
【発明が解決しようとする課題】
【０００４】
従来の記録再生装置においては、取得した映像信号をそのまま記録するか、ユーザーの所望の画質にて記録しているため、図１９に例示するように取得した映像信号もしくはユーザー指定の画質よりもディスプレイ装置（１９２０）において表示可能な画質のほうが低い場合には、映像信号をそのままの画質でＨＤＤ等に記録しておくことは記憶領域の無駄になってしまう。つまり、図１９の例で言えば、記録部（１９１２）に「１９２０×１０８０」の解像度で記憶しておいてもディスプレイ装置（１９２０）にてダウンコンバータ（１９２１）で「８００×６００」まで解像度を落としてしまうのだから、このような場合には記録部（１９１２）にて記憶する際に「８００×６００」の解像度で記憶しておいても何ら問題はなく、むしろ記録部（１９１２）の記憶領域の節約になる。また、特許文献１に示されているように記録再生装置とディスプレイ装置との接続にＨＤＭＩなどを利用すれば、記録再生装置でディスプレイ装置の表示能力に関する情報を取得することができる。
【課題を解決するための手段】
【０００５】
そこで本発明においては、放送により受信した信号を復号し、自身に接続されたディスプレイ装置から表示能力情報を取得し、取得した表示能力情報に応じて記録画質パラメータを決定し、決定したパラメータに応じて復号化した信号を符号化して記録部に記録することを特徴とする記録再生装置を提案する。また、パラメータを決定するために、画質が破綻しないように再生ビットレートと、解像度と、フレームレートと、を予め関連付けた記録画質を決定するために用いる画質パラメータテーブルを保持しておくようになっていてもよい。また、パラメータを決定するために、画質パラメータテーブルを利用し、ディスプレイ装置から取得した表示能力情報を用いてディスプレイ装置の性能を超えない範囲で取得可能な最高画質を実現する最高画質パラメータを選択するようになっていてもよい。また、表示能力情報を取得するために、表示能力を取得するためのユーザーインターフェイスを備えていても良い。また、記録部は放送により受信した信号による画質が最高画質パラメータにより実現される画質以下である場合には受信した信号をそのまま記録するようになっていてもよい。また、放送に代えて記録メディア装置から映像信号を取得するようになっていてもよい。また、放送により受信する信号に代えて静止画情報を取得するようになっていてもよい。
【０００６】
図１は、本発明に係る記録再生装置を示す概念図である。ここでは、デジタル放送により受信した信号を記録する場合を一例として示す。本発明に係る記録再生装置（０１１０）は、デジタル放送によって受信した信号（０１０１）を復調部（０１１１）にて復調し、ＭＰＥＧ２デコーダ（０１１４）にてデコード（復号化）した後、ＭＰＥＧ２エンコーダ（０１１５）でエンコード（符号化）して記録部（０１１２）に記録する。記録部（０１１２）に記録された信号は、ＭＰＥＧ２デコーダ（０１１３）にてデコードされた後、映像出力インターフェイスによりディスプレイ装置（０１２０）へ出力される。この一連の処理は従来の記録再生装置とほぼ同様であるが、本発明に係る記録再生装置の特徴は、デジタル放送により受信した信号をＭＰＥＧ２エンコーダ（０１１５）にてエンコードする際に、画質調整を行ってエンコードして記録部（０１１２）に記録する点にある。この画質調整は、ディスプレイ装置（０１２０）からＨＤＭＩなどによって取得した表示能力情報（０１０３）に応じて行われる。例えば、デジタル放送にて受信した信号の解像度が「１９２０×１０８０」（０１０１）であり、ディスプレイ装置から取得した表示能力情報（０１０３）に含まれる解像度が「８００×６００」であった場合には、ＭＰＥＧ２エンコーダ（０１１５）においてエンコードする際に「８００×６００」の解像度にてエンコードを行い記録部（０１１２）に記録する。これにより、受信した信号をそのままの解像度「１９２０×１０８０」で記録するよりも、使用する記憶領域が少なくて済む。また、ディスプレイ装置（０１２０）においても、従来は図１９に例示したようにダウンコンバータにて解像度の調整などが必要であったが、本発明においては、記録再生装置から出力される信号はすでに「８００×６００」の信号（０１０２）であるので、ダウンコンバータによる処理は不要となり、そのまま表示部（０１２２）へ表示出力することができる。
【発明の効果】
【０００７】
本発明の記録再生装置は、接続されたディスプレイ装置の表示能力に応じて取得した信号の画質調整を行ってエンコード（符号化）して記録するため、無意味に高い画質で記録することなく使用する記憶領域を減らすことができる。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、２、３、８などについて説明する。実施形態２は、主に請求項４などについて説明する。実施形態３は、主に請求項５などについて説明する。実施形態４は、主に請求項６、７などについて説明する。
（実施形態１）
【０００９】
（実施形態１：概要）本実施形態は、放送により受信した信号を復号し、自身に接続されたディスプレイ装置から表示能力情報を取得し、取得した表示能力情報に応じて記録画質パラメータを決定し、決定したパラメータに応じて復号化した信号を符号化して記録することを特徴とする記録再生装置について説明する。
【００１０】
（実施形態１：構成）本実施形態に係る記録再生装置の機能ブロック図を図２に例示する。記録再生装置（０２００）は、「放送受信部」（０２０１）と、「復号化部」（０２０２）と、「表示能力情報取得部」（０２０３）と、「パラメータ決定部」（０２０４）と、「符号化部」（０２０５）と、「記録部」（０２０６）と、を有する。
【００１１】
また、図３は記録再生装置の別の構成を例示する機能ブロック図である。図３における記録再生装置（０３００）は、「放送受信部」（０２０１）と、「復号化部」（０２０２）と、「表示能力情報取得部」（０２０３）と、「パラメータ決定部」（０２０４）と、「符号化部」（０２０５）と、「記録部」（０２０６）と、を有する。また、パラメータ決定部（０２０４）は「画質パラメータテーブル保持手段」（０３０７）を有する。なお、機能ブロック図においては、同じ構成要件には同一の符号を付して表している。（明細書の全体を通じて同様である。）
【００１２】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１３】
「放送受信部」（０２０１）は、放送により映像信号を受信する機能を有する。「放送」とは、主にデジタル放送を想定している。一般的に、デジタル放送波には映像データ以外に音声データや番組情報等の付加データが多重化されており、例えば地上デジタルテレビ放送においてはＭＰＥＧ２のＴＳ（Ｔｒａｎｓｐｏｒｔ  Ｓｔｒｅａｍ）によって実現されている。通常、アンテナにて受信されたデジタル放送波は復調処理が行われてＴＳが出力され、出力されたＴＳは、映像データ、音声データ、付加データに分離されて、それぞれデコード（復号化）される。このような処理のうち、放送受信部は、アンテナにて放送波を受信し、受信した放送波を復調して映像データを分離するまでの処理を実行する役目を果たす。より具体的には、図１に例示した復調部（０１１１）までの処理を実行する。
【００１４】
「復号化部」（０２０２）は、放送受信部で受信した信号を復号化する。すなわち、復調された信号を復号化する処理を行う。より具体的には、図１に例示した復調部（０１１１）とＭＰＥＧ２デコーダ（０１１４）における処理が該当する。
【００１５】
「表示能力情報取得部」（０２０３）は、自身に接続されたディスプレイ装置から表示能力情報を取得する。「表示能力情報」とは、ディスプレイ装置における表示出力に関する性能を表す情報であり、例えば一般的な符号化パラメータである解像度、フレームレート、ビットレートなどが該当する。図４は、表示能力情報の一例を示す。図４においては、ディスプレイ装置の解像度は「８００×６００」であり、フレームレートは「３０ｆ／ｓ（フレーム／秒）」であることを表している。表示能力情報取得部はこのような表示能力情報をディスプレイ装置から取得するが、取得方法としては前述したようにＨＤＭＩ接続によりディスプレイ装置から取得する場合やユーザから入力される場合等が想定される。また、表示能力情報を取得するタイミングは様々に考えられる。例えば、ディスプレイ装置が記録再生装置に接続された時に取得する場合、定期的にディスプレイ装置に問い合わせをして取得する場合、などが挙げられる。
【００１６】
「パラメータ決定部」（０２０４）は、取得した表示能力情報に応じて記録画質パラメータを決定する。記録画質パラメータの決定方法としては、主には取得した表示能力情報に応じて記録画質パラメータを決定するための情報である画質パラメータテーブルを保持しておき、画質パラメータテーブルに基づいて決定する場合を想定している。ただし、この方法に限定するものではない。記録画質パラメータの決定方法については後述する。なお、表示能力情報取得部（０２０３）にて表示能力情報を取得しパラメータ決定部で記録画質パラメータを決定する処理は、放送によって受信した信号を符号化して記録する際にそのつど行うのではなく、別途、事前に実行されるようになっていてもよい。例えば、記録再生装置にディスプレイ装置が接続された時に表示能力情報を取得し、取得した表示能力情報に応じて記録画質パラメータを決定しておいてもよい。また、決定された記録画質パラメータは不揮発性メモリ等の所定の記憶領域に記録して保持しておき、信号を符号化する際には所定の記憶領域から記録画質パラメータを読み出して符号化すればよい。また、決定した記録画質パラメータを所定の記憶領域に記録しておく際に、ディスプレイ装置の機器識別番号やＭＡＣアドレス等と関連付けて保持しておいてもよい。このようにすれば、例えばディスプレイ装置との接続が一旦、切断された後に同じディスプレイ装置が再度接続された時には、ディスプレイ装置の機器識別番号やＭＡＣアドレス等を取得することでそのディスプレイ装置に対応する記録画質パラメータが抽出される。このような場合においては、機器識別番号やＭＡＣアドレス等が表示能力情報に該当する。また、例えば記録再生装置の工場出荷時に、あらかじめ各メーカーのディスプレイ装置に対応した記録画質パラメータを機器識別番号等と関連付けて不揮発性メモリ等に保持しておいてもよい。このようにすれば、ディスプレイ装置が接続された時には、ディスプレイ装置の機器識別番号等を取得することでそのディスプレイ装置に対応する記録画質パラメータが抽出される。このような場合においては、機器識別番号等が表示能力情報に該当する。
【００１７】
また、図３に示すようにパラメータ決定部は「画質パラメータテーブル保持手段」（０３０７）を有する場合もある。「画質パラメータテーブル保持手段」（０３０７）は、画質が破綻しないように再生ビットレートと、解像度と、フレームレートと、を予め関連付けた記録画質を決定するために用いる画質パラメータテーブルを保持する。再生ビットレートと解像度とフレームレートは一般的な符号化パラメータであるが、ビットレートの変化に対して解像度とフレームレートの設定バランスが悪いと画質が破綻してしまうので、画質パラメータテーブルにおいては、画質が破綻しないような設定バランスとなるように再生ビットレートと解像度とフレームレートを関連付けておく。図５は、画質パラメータテーブルの具体例を示す。「ＩＤ」は各レコードに自動的に付与されるシリアル番号であり、「ビットレート」、「解像度」、「フレームレート」が関連付けられている。この関連付けられているビットレート等は、画質が破綻しないような値に予め設定されたものである。図５の例においては設定が６４段階あり、「ビットレート」は段階に応じてほぼリニアに決定されている。記録再生装置は、例えば表示能力情報取得部（０２０３）において図４のような表示能力情報を取得したとすると、図５のＩＤ＝１６とＩＤ＝１７のデータによりビットレートを６．３Ｍｂｐｓ（メガビット／秒）もしくは６．５Ｍｂｐｓのいずれかに決定することができる。このように、一の解像度とフレームレートの組に対して複数のビットレートが選択可能である場合もあり得る。
【００１８】
また、図８に示すようにパラメータ決定部は、さらに「最高画質パラメータ選択手段」（０８０８）をさらに有していてもよい。「最高画質パラメータ選択手段」（０８０８）は、ディスプレイ装置から取得した表示能力情報を用いてディスプレイ装置の性能を超えない範囲で取得可能な最高画質を実現するパラメータを選択する。先ほどの図４と図５の例であれば、ＩＤ＝１６とＩＤ＝１７のデータからビットレートは６．３Ｍｂｐｓもしくは６．５Ｍｂｐｓが選択できるが、ビットレートが高いほうが画質は高くなるので６．５Ｍｂｐｓをビットレートとして決定する。
【００１９】
「符号化部」（０２０５）は、決定したパラメータに応じて復号化部にて復号化した信号を符号化する。先の例であれば、再生ビットレートを「６．５Ｍｂｐｓ（又は６．３Ｍｂｐｓ）」、解像度を「８００×６００」、フレームレートを「３０ｆ／ｓ」として復号化したデータを符号化する。より具体的には、符号化部は図１におけるＭＰＥＧ２エンコーダ（０１１５）が該当する。また、近年ではＨ．２６４という動画圧縮規格も採用されており、ＭＰＥＧ２デコーダでデコードした信号をＨ．２６４エンコーダで符号化して記録する場合や、デジタル放送波を受信して復調した後にＭＰＥＧ２／Ｈ．２６４トランスコーダにてＨ．２６４に変換して記録する場合もある。前者の場合にはＨ．２６４エンコーダが符号化部に該当する。また、後者の場合にはＭＰＥＧ２／Ｈ．２６４トランスコーダが復号化部と符号化部と同様の役目を果たすことになる。
【００２０】
「記録部」（０２０６）は、信号を記録する。「信号」とは、主に符号化部（０２０５）にて符号化された信号であるが、後述するように放送受信部で受信した信号そのものであってもよい。また、記録部に記録された信号は、復号化部で復号化されて利用されてもよい。また、記録部に記録された信号は記録再生装置に接続されたディスプレイ装置に出力され、ディスプレイ装置で映像を視聴する際の映像ソースとなる。記録部は、具体的には例えばハードディスク、ＤＶＤメディア等の記録媒体、半導体メモリなどが該当する。また、記録部は不揮発性であるほうが好適であるが、これに限定するものではない。
【００２１】
（実施形態１：ハードウェア上における処理）図６は、本実施形態に係る記録再生装置のハードウェア上における処理の具体例を示す。まず、記録再生装置は自身に接続されたディスプレイ装置から入力インターフェイス（ＨＤＭＩ接続インターフェイス等）を介して表示能力情報（０６０１）を受信する。受信された表示能力情報（０６０１）はメインメモリに格納される。また、復調回路・デコーダにて放送波によって信号（０６０２）が受信されて復調され、デコードされて画像データ（０６０３）に変換される。画像データ（０６０３）は、メインメモリに格納される。画像データ（０６０３）が取得されると、記憶装置に記憶されている記録画質パラメータを決定するためのパラメータ決定プログラム（パラメータ決定Ｐ）（０６０４）と画質パラメータテーブル（０６０５）がメインメモリに展開され、ディスプレイ装置から取得した表示能力情報とパラメータ決定プログラムとパラメータテーブルによって、記録画質パラメータのパラメータ値（０６０６）が決定されメインメモリに格納される。符号化部では、このパラメータ値（０６０６）に基づいて画像データ（０６０３）が符号化され、符号化画像データ（０６０７）が生成される。符号化画像データ（０６０７）は、ハードディスク等の記憶領域に格納される。
【００２２】
なお、図６を用いて説明したハードウェア上の処理はあくまで処理の概要を説明するものである。（明細書の全体を通じて同様である。）
【００２３】
（実施形態１：処理の流れ）図７は、本実施形態に係る記録再生装置における処理の流れを示すフロー図を例示する。
【００２４】
まず、放送を受信する（Ｓ０７０１）。次に、放送にて受信した信号を復号化する（Ｓ０７０２）。次に、接続されたディスプレイ装置から表示能力情報を取得する（Ｓ０７０３）。なお、このステップはステップＳ０７０１もしくはＳ０７０２よりも以前に実行されてもよい。次に、取得した表示能力情報に応じて記録画質パラメータを決定する（Ｓ０７０４）
次に、決定したパラメータに応じて復号化した信号を符号化する（Ｓ０７０５）。次に、符号化した信号を記録する（Ｓ０７０６）。なお、ステップＳ０７０３とＳ０７０４の処理はそのつど実行されるのではなく、別途、事前に実行されるようになっていてもよい。例えば、記録再生装置にディスプレイ装置が接続された時に表示能力情報を取得し、取得した表示能力情報に応じて記録画質パラメータを決定しておいてもよい。決定された記録画質パラメータは不揮発性メモリ等の所定の記憶領域に記録して保持しておけばよい。この場合の処理フローは、放送を受信して（Ｓ０７０１）、受信した信号を復号化し（Ｓ０７０２）、復号化した信号を符号化する際に所定の記憶領域から記録画質パラメータを読み出して符号化し（Ｓ０７０５）、符号化した信号を記録する（Ｓ０７０６）、という処理フローになる。
【００２５】
なお、図７のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２６】
（実施形態１：効果）本実施形態に係る記録再生装置によれば、接続されたディスプレイ装置の表示性能に応じて符号化して記録する映像信号の画質を決定するので、無意味に高い画質で記録することなく使用する記憶領域を減らすことができる。
（実施形態２）
【００２７】
（実施形態２：概要）本実施形態は、表示能力情報を取得するために、表示能力を取得するためのユーザーインターフェイスを備えることを特徴とする記録再生装置について説明する。
【００２８】
（実施形態２：構成）本実施形態に係る記録再生装置の機能ブロック図を図９に例示する。記録再生装置（０９００）は、「放送受信部」（０２０１）と、「復号化部」（０２０２）と、「表示能力情報取得部」（０２０３）と、「パラメータ決定部」（０２０４）と、「符号化部」（０２０５）と、「記録部」（０２０６）と、を有する。また、表示能力情報取得部（０２０３）は「表示能力入力手段」（０９０９）を有する。また、パラメータ決定部（０２０４）はさらに画質パラメータテーブル保持手段を有していてもよいし、さらに最高画質パラメータ選択手段をも有していてもよい。「表示能力入力手段」（０９０９）以外の構成については前述した通りであるので、ここでの説明は省略する。
【００２９】
「表示能力入力手段」（０９０９）は、表示能力を取得するためのユーザーインターフェイスである。図１０は、表示能力入力手段の具体例を示す。記録再生装置のディスプレイ等に表示能力を入力するための表示能力入力画面が表示され、ユーザはキーボード等を使用して解像度とフレームレートを入力することができる。このようにして入力された表示能力情報はメインメモリに格納された後、前述したように記録画質パラメータを決定するために利用されることになる。また、このような表示能力入力手段が備えられていれば、記録再生装置とディスプレイ装置をＨＤＭＩ等で接続することができない場合等であっても記録再生装置はディスプレイ装置の表示能力情報を取得することができる。
【００３０】
（実施形態２：ハードウェア上における処理）本実施形態に係る記録再生装置のハードウェア上における処理は、図６にて説明した処理と同様である。ただし、表示能力情報を取得する入力インターフェイスは、図１０に例示したようなユーザーインターフェイスであることを特徴とする。
【００３１】
（実施形態２：処理の流れ）本実施形態に係る記録再生装置における処理の流れは、図７にて説明した処理の流れと同様である。ただし、表示能力情報は接続されたディスプレイ装置から直接取得するのではなく、図１０に例示したようなユーザーインターフェイスにより取得されることを特徴とする。
【００３２】
（実施形態２：効果）本実施形態に係る記録再生装置によれば、記録再生装置とディスプレイ装置がＨＤＭＩ等のインテリジェントな接続方式で接続することができないような場合であっても、表示能力情報を取得することができる。
（実施形態３）
【００３３】
（実施形態３：概要）本実施形態は、放送により受信した信号による画質が最高画質パラメータにより実現される画質以下である場合には受信した信号をそのまま記録することを特徴とする記録再生装置について説明する。
【００３４】
（実施形態３：構成）本実施形態に係る記録再生装置の機能ブロック図を図１１に例示する。記録再生装置（１１００）は、「放送受信部」（０２０１）と、「復号化部」（０２０２）と、「表示能力情報取得部」（０２０３）と、「パラメータ決定部」（０２０４）と、「符号化部」（０２０５）と、「記録部」（０２０６）と、を有する。また、パラメータ決定部（０２０４）は「画質パラメータテーブル保持手段」（０３０７）と「最高画質パラメータ選択手段」（０８０８）とを有する。また、記録部（０２０６）は「直接記録手段」（１１１０）を有する。「直接記録手段」（１１１０）以外の構成については前述した通りであるので、ここでの説明は省略する。
【００３５】
「直接記録手段」（１１１０）は、放送受信部にて受信した信号による画質が最高画質パラメータ選択手段にて選択され実現される画質以下である場合には受信した信号をそのまま記録する。「放送受信部にて受信した信号による画質」は、例えばデジタル放送波には信号の画質を表す情報が含まれているが、そのような情報から画質の情報を取得してもよいし、放送波から取得できない場合にはユーザの手入力や他の装置からの入力などによって取得されるようになっていてもよい。「受信した信号をそのまま記録する」とは、復号化した受信信号を受信した時とは異なる最高画質パラメータに基づいて符号化して記録するのではなく、受信した時と同一の画質にて記録部に記録することを意味する。つまり、受信信号の画質よりも最高画質パラメータの画質のほうが高い場合には、最高画質パラメータによって受信信号を符号化してしまうと、受信信号をそのまま記録する場合よりもかえって記憶領域を使用する結果となってしまうため、このような場合には受信信号をそのままの画質で記録するということである。なお、受信信号の画質と最高画質パラメータによる画質を比較する方法としては、例えば解像度、フレームレート、ビットレートのいずれかを基準として比較してもよいし、これらを所定の評価式で乗算・加算等して評価値を算出して比較する等となっていてもよい。また、受信した信号をそのまま記録する場合には、復号化部（０２０２）、符号化部（０２０５）を経ずに、放送受信部（０２０１）にて受信した信号を直接記録手段にて記録することが想定される。より具体的には、例えば最高画質パラメータ選択手段にて選択される画質と受信信号の画質の比較結果によって受信信号の処理ルートがパスの切替器にて２つのパスに分割され、画質変更がなされる場合には切替器から復号化部（０２０２）、符号化部（０２０５）、記録部（０２０６）を経由し、画質変更がなされない場合には切替器から記録部（０２０６）を経由する。
【００３６】
図１２は、直接記録手段における処理の具体例を示す。放送受信部にて受信した信号の画質（受信信号画質：１２０１）が、解像度「１２８０×７２０」、フレームレート「３０ｆ／ｓ」、ビットレート「１４Ｍｂｐｓ」であったとする。なお、このような情報はデジタル放送の場合は受信信号に含まれているが、受信信号から直接取得できない場合にはユーザの入力等によって取得してもよい。表示能力情報１２０２は表示能力情報取得部（０２０３）にて取得されるものであり、取得方法は先に説明した通りである。ここでは表示能力情報として、解像度「１９２０×１０８０」、フレームレート「６０ｆ／ｓ」という情報が取得されたとする。また、この表示能力情報に基づき、パラメータ決定部（０２０４）の最高画質パラメータ選択手段（０８０８）によって最高画質パラメータ１２０３として、ビットレート「２４Ｍｂｐｓ」が選択されたとする。今まで説明した記録再生装置においては、この最高画質パラメータで決定されたパラメータによって復号化された受信信号を符号化して記録部に記録していたが、本実施形態に係る記録再生装置においては、受信信号画質１２０１と最高画質パラメータ１２０３とを比較し、受信信号画質１２０１のほうが低ければ受信信号をそのまま記録部に記録する、という具合である。例えば、図１２においてビットレートを基準として比較すると、受信信号画質１２０１においては「１４Ｍｂｐｓ」であり、最高画質パラメータ１２０３においては「２４Ｍｂｐｓ」であるので、受信信号画質１２０１のほうが低い、という判断になり、受信信号をそのまま記録部に記録する。このように、受信信号の画質が最高画質パラメータにより実現される画質以下であるならば、そのまま記録部に記録しても無駄に高い画質で信号を記録することにはなり得ないため問題がない。むしろ受信信号を復号化・符号化する処理を省くことができるため、記録再生装置の処理負荷を軽減するというメリットもある。
【００３７】
（実施形態３：ハードウェア上における処理）図１３は、本実施形態に係る記録再生装置のハードウェア上における処理の具体例を示す。まず、記録再生装置は自身に接続されたディスプレイ装置から入力インターフェイス（ＨＤＭＩ接続インターフェイス等）を介して表示能力情報（１３０１）を受信する。受信された表示能力情報（１３０１）はメインメモリに格納される。また、復調回路・デコーダにて放送波によって信号（１３０２）が受信されて復調された後、メインメモリに格納される。また、必要に応じて受信信号を復号化する等して受信信号の画質を表す受信信号画質（１３０７）がメインメモリに格納される。受信信号（１３０２）が取得されると、記憶装置に記憶されている記録画質パラメータを決定するためのパラメータ決定プログラム（パラメータ決定Ｐ）（１３０４）と画質パラメータテーブル（１３０５）がメインメモリに展開され、ディスプレイ装置から取得した表示能力情報とパラメータ決定プログラムとパラメータテーブルによって、最高画質パラメータ値（１３０６）が決定されメインメモリに格納される。また、記憶装置に記憶されている比較判断プログラム（比較判断Ｐ）（１３０３）がメインメモリに展開される。比較判断プログラム（１３０３）は、受信信号画質（１３０７）と最高画質パラメータ値（１３０６）を比較し、いずれの画質が高いかを判断するためのプログラムであり、判断結果はメインメモリに格納される。この判断結果が、受信信号画質のほうが最高画質パラメータ値よりも低いとの判断結果である場合には、受信信号をそのままハードディスク等の記憶領域に格納する。
【００３８】
（実施形態３：処理の流れ）図１４は、本実施形態に係る記録再生装置における処理の流れを示すフロー図を例示する。
【００３９】
まず、放送を受信する（Ｓ１４０１）。次に、接続されたディスプレイ装置から表示能力情報を取得する（Ｓ１４０３）。なお、このステップはステップＳ１４０１よりも以前に実行されてもよい。次に、取得した表示能力情報を用いて最高画質パラメータを選択する（Ｓ１４０４）。次に、受信した信号の画質が最高画質パラメータにて実現される画質以下であるか判断する（Ｓ１４０５）。ここでの判断結果が、ＹＥＳ（受信した信号の画質のほうが低い）であれば受信した信号をそのままの画質にて記録する（Ｓ１４０６）。判断結果がＮＯ（受信した信号の画質のほうが高い）であれば、放送にて受信した信号を復号化し（Ｓ１４０２）、最高画質パラメータに応じて復号化した信号を符号化する（Ｓ１４０７）。次に、符号化した信号を記録する（Ｓ１４０８）。なお、ステップＳ１４０３とＳ１４０４の処理はそのつど実行されるのではなく、別途、事前に実行されるようになっていてもよいことは、図７にて説明したのと同様である。
【００４０】
（実施形態３：効果）本実施形態に係る記録再生装置によれば、受信信号の画質のほうが最高画質パラメータによる画質以下である場合には、そのまま受信信号を記録するため、記録部の記憶領域を無駄に使うことなく効率よく受信信号を記録することができる。
（実施形態４）
【００４１】
（実施形態４：概要）本実施形態は、放送に代えて記録メディア装置から映像信号を取得する記録再生装置について説明する。また、放送により受信する信号に代えて静止画情報を取得する記録再生装置についても説明する。
【００４２】
（実施形態４：構成）本実施形態に係る記録再生装置の機能ブロック図を図１５、図１６に例示する。図１５に例示する機能ブロック図は放送に代えて記録メディア装置から映像信号を取得する記録再生装置を示し、図１６に例示する機能ブロック図は放送により受信する信号に代えて静止画情報を取得する記録再生装置を示す。
【００４３】
図１５に示す記録再生装置（１５００）は、「映像信号取得部」（１５１１）と、「復号化部」（０２０２）と、「表示能力情報取得部」（０２０３）と、「パラメータ決定部」（０２０４）と、「符号化部」（０２０５）と、「記録部」（０２０６）と、を有する。すなわち、前述した放送受信部に代えて「映像信号取得部」（１５１１）を有する。また、さらにパラメータ決定部（０２０４）は画質パラメータテーブル保持手段を有していてもよいし、さらに最高画質パラメータ選択手段をも有していてもよい。また、さらに表示能力情報取得部（０２０３）は表示能力入力手段を有していてもよい。また、さらに記録部（０２０６）は直接記録手段を有していてもよい。「映像信号取得部」（１５１１）以外の構成については前述した通りであるので、ここでの説明は省略する。
【００４４】
また、図１６に示す記録再生装置（１６００）は、「静止画情報取得部」（１６１２）と、「復号化部」（０２０２）と、「表示能力情報取得部」（０２０３）と、「パラメータ決定部」（０２０４）と、「符号化部」（０２０５）と、「記録部」（０２０６）と、を有する。すなわち、前述した放送受信部に代えて「静止画情報取得部」（１６１２）を有する。「静止画情報取得部」（１６１２）以外の構成については前述した通りであるので、ここでの説明は省略する。
【００４５】
「映像信号取得部」（１５１１）は、記録メディア装置から映像信号を取得する。「記録メディア装置」とは、情報を記録することが可能な装置全般を広く含む意味であり、その大きさ、形状、記録方法、等は問わない。具体的には、例えばハードディスク、半導体メモリ、光ディスク、フロッピー（登録商標）、等が挙げられる。また、記録再生装置に内蔵されるものであってもよいし、着脱式のものであってもよい。また、記録再生装置と有線もしくは無線による通信によって接続されるものであってもよい。さらに、ハードディスクや半導体メモリを利用する外部装置、デジタルカメラ、携帯端末等も含む。「映像信号」は、静止画の映像信号であってもよいし、動画の映像信号であってもよい。具体的には、ＭＰＥＧ、Ｈ．２６４、ＪＰＥＧ（Ｊｏｉｎｔ  Ｐｈｏｔｏｇｒａｐｈｉｃ  Ｅｘｐｅｒｔｓ  Ｇｒｏｕｐ）等が挙げられるが、データ形式は問わない。映像信号取得部は、具体的には例えば通信インターフェイスや記録媒体接続インターフェイス等が該当する。なお、映像信号取得部で取得された映像信号の処理については先に説明した通りであり、例えば必要に応じて復号化部（０２０２）にて復号化され、パラメータ決定部（０２０４）にて決定されたパラメータにて符号化部（０２０５）にて符号化されて記録部（０２０６）にて記録される。
【００４６】
「静止画情報取得部」（１６１２）は、静止画情報を取得する。「静止画情報」とは静止画を構成するデータを指す。静止画情報はそのデータ形式は問わないが、具体的には例えば、ＪＰＥＧ、ＧＩＦ（Ｇｒａｐｈｉｃｓ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）、ビットマップ、等が挙げられる。静止画情報取得部が静止画情報を取得する方法は問わないが、例えば記録メディア装置、外部の電子機器、インターネット等のネットワークなどから取得することが考えられる。また、これらとの接続方法も問わないが、例えば有線もしくは無線による通信によって接続される場合や、記録媒体用の接続端子等に差し込むことによって接続される場合などが想定される。すなわち、静止画情報取得部は、具体的には例えば通信インターフェイスや記録媒体接続インターフェイス等が該当する。なお、静止画情報取得部で取得された静止画情報の処理については先に説明した通りであり、例えば必要に応じて復号化部（０２０２）にて復号化され、パラメータ決定部（０２０４）にて決定されたパラメータにて符号化部（０２０５）にて符号化されて記録部（０２０６）にて記録される。
【００４７】
（実施形態４：ハードウェア上における処理）本実施形態に係る記録再生装置のハードウェア上における処理は、図６や図１３にて説明した処理と同様である。ただし、復調回路・デコーダにて放送波によって信号が受信されるのではなく、通信インターフェイスや記録媒体接続インターフェイス等を介して映像信号もしくは静止画情報が取得されることを特徴とする。
【００４８】
（実施形態４：処理の流れ）図１７、図１８は、本実施形態に係る記録再生装置における処理の流れを示すフロー図を例示する。図１７は記録再生装置が映像信号取得部を有する場合のフロー図であり、図１８は記録再生装置が静止画情報取得部を有する場合のフロー図である。
【００４９】
まず、図１７における処理の流れを説明する。最初に、記録メディア装置から映像信号を取得する（Ｓ１７０１）。次に、取得した映像信号を復号化する（Ｓ１７０２）。次に、接続されたディスプレイ装置から表示能力情報を取得する（Ｓ１７０３）。なお、このステップはステップＳ１７０１もしくはＳ１７０２よりも以前に実行されてもよい。次に、取得した表示能力情報に応じて記録画質パラメータを決定する（Ｓ１７０４）次に、決定したパラメータに応じて復号化した映像信号を符号化する（Ｓ１７０５）。次に、符号化した映像信号を記録する（Ｓ１７０６）。なお、ステップＳ１７０３とＳ１７０４の処理はそのつど実行されるのではなく、別途、事前に実行されるようになっていてもよいことは、図７にて説明したのと同様である。
【００５０】
次に、図１８における処理の流れを説明する。最初に、静止画情報を取得する（Ｓ１８０１）。次に、取得した静止画情報を復号化する（Ｓ１８０２）。次に、接続されたディスプレイ装置から表示能力情報を取得する（Ｓ１８０３）。なお、このステップはステップＳ１８０１もしくはＳ１８０２よりも以前に実行されてもよい。次に、取得した表示能力情報に応じて記録画質パラメータを決定する（Ｓ１８０４）次に、決定したパラメータに応じて復号化した静止画情報を符号化する（Ｓ１８０５）。次に、符号化した静止画情報を記録する（Ｓ１８０６）。なお、ステップＳ１８０３とＳ１８０４の処理はそのつど実行されるのではなく、別途、事前に実行されるようになっていてもよいことは、図７にて説明したのと同様である。
【００５１】
（実施形態４：効果）本実施形態に係る記録再生装置によれば、記録メディア装置からの映像信号や静止画情報も接続されたディスプレイ装置の表示性能に応じて符号化して記録することで、無意味に高い画質で記録することなく使用する記憶領域を減らすことができる。
【図面の簡単な説明】
【００５２】
【図１】本発明に係る記録再生装置の概念図
【図２】実施形態１に係る記録再生装置の機能ブロック図
【図３】実施形態１に係る記録再生装置の機能ブロック図
【図４】表示能力情報の一例図
【図５】画質パラメータテーブルの一例図
【図６】記録再生装置のハードウェア上における処理動作の一例図
【図７】実施形態１に係る記録再生装置の処理の流れを示すフロー図
【図８】実施形態１に係る記録再生装置の機能ブロック図
【図９】実施形態２に係る記録再生装置の機能ブロック図
【図１０】表示能力入力手段の具体例
【図１１】実施形態３に係る記録再生装置の機能ブロック図
【図１２】直接記録手段における処理の具体例
【図１３】記録再生装置のハードウェア上における処理動作の一例図
【図１４】実施形態３に係る記録再生装置の処理の流れを示すフロー図
【図１５】実施形態４に係る記録再生装置の機能ブロック図
【図１６】実施形態４に係る記録再生装置の機能ブロック図
【図１７】実施形態４に係る記録再生装置の処理の流れを示すフロー図
【図１８】実施形態４に係る記録再生装置の処理の流れを示すフロー図
【図１９】従来の記録再生装置の概念図
【符号の説明】
【００５３】
０１０１  受信信号の解像度
０１０２  ディスプレイ装置へ出力する信号の解像度
０１０３  表示能力情報
０１１０  記録再生装置
０１１１  復調部
０１１２  記録部
０１１３  ＭＰＥＧ２デコーダ
０１１４  ＭＰＥＧ２デコーダ
０１１５  ＭＰＥＧ２エンコーダ
０１２０  ディスプレイ装置
０１２２  表示部
【図１】
0004897589.tif 000002
【図２】
0004897589.tif 000003
【図３】
0004897589.tif 000004
【図４】
0004897589.tif 000005
【図５】
0004897589.tif 000006
【図６】
0004897589.tif 000007
【図７】
0004897589.tif 000008
【図８】
0004897589.tif 000009
【図９】
0004897589.tif 000010
【図１０】
0004897589.tif 000011
【図１１】
0004897589.tif 000012
【図１２】
0004897589.tif 000013
【図１３】
0004897589.tif 000014
【図１４】
0004897589.tif 000015
【図１５】
0004897589.tif 000016
【図１６】
0004897589.tif 000017
【図１７】
0004897589.tif 000018
【図１８】
0004897589.tif 000019
【図１９】
0004897589.tif 000020